(57)【特許請求の範囲】
【請求項１】
高さが同じで、建物に設定されたモジュール寸法の１．５倍に相当する横寸法を持った小障子と、モジュール寸法の２．５倍に相当する横寸法を持った中障子と、モジュール寸法の３．０倍に相当する横寸法を持った大障子とからなる引き違い形式の障子群の中から少なくとも小障子を１枚含むように選択された２枚又は３枚の障子と、前記選択された２枚又は３枚の障子を組み合わせて該障子を２本のレール上を摺動するように納めるサッシ枠と、からなり、前記小障子のうちの１枚を基準となる障子として前記サッシ枠の一方の端部に寄せて配置した横寸法の異なる複数の窓セットを、同一の外壁面に配置することを特徴とする住宅。
【発明の詳細な説明】
【０００１】
【発明の属する技術分野】
本発明は、異なる寸法を持って形成された複数の窓に統一感を与えるようにした窓セットを同一の外壁面に適用することで全体の統一感を発揮することが出来る住宅に関するものである。
【０００２】
【従来の技術】
外壁に形成された開口部には各種の窓が形成されるが、一般的な部位では引き違い窓が設けられる。この引き違い窓は、左右方向の寸法（横寸法）が建物に設定されたモジュールに基づいて設定されたサッシ枠と、サッシ枠に対し移動可能に取り付けられた障子からなり、障子は、引き違い窓の横寸法の値に対応して２枚障子，３枚障子，４枚障子として設定されている。
【０００３】
引き違い窓に於ける障子の横寸法は該引き違い窓の横寸法を障子の枚数に応じて等分割されるのが一般的であり、外部から見たとき、一つの引き違い窓に嵌め込まれた障子どうしは全て同一寸法に設定されている。例えば、横寸法が９００ｍｍ（呼び寸法、以下同じ）の引き違い窓の障子は４５０ｍｍが２枚であり、横寸法が１５００ｍｍの引き違い窓の障子は７５０ｍｍが２枚であり、同様に１８００ｍｍでは９００ｍｍが２枚、２７００ｍｍでは１３５０ｍｍが２枚又は９００ｍｍが３枚に設定されている。
【０００４】
また寸法が同じ２枚の障子を有する引き違い窓と、１枚の回転窓とを組み合わせた窓も提案されている（例えば特許文献１参照）。この窓では、引き違い窓と回転窓という機能の異なる複数の障子を一つの枠体に納めて構成されている。
【０００５】
更に、横寸法が大きい窓の場合、該窓を横方向に３分割し、中央を大きい寸法を持った大障子とし、左右両側を中央の障子よりも小さい寸法を持った小障子とすることで意匠的な優位性を持たせたピクチャー窓，シカゴウィンドウと呼ばれる窓も提供されている。これらのピクチャー窓やシカゴウィンドウでは、中央の大障子は固定され、両側の小障子が移動して窓の開閉を行うように構成されるのが一般的である。
【０００６】
【特許文献１】
特開２０００−１３００２７号公報
【０００７】
【発明が解決しようとする課題】
上記従来の引き違い窓やピクチャー窓，シカゴウィンドウでは、窓の横寸法が決まると障子の横寸法も同時に決まってしまい、且つ障子の横寸法も引き違い窓の横寸法の変化に応じて変化することとなる。このため、同一の横寸法を持った窓を複数配置する場合には統一感を発揮することが出来るが、異なる横寸法を持った窓を複数配置した場合統一感がとれなくなるという問題がある。
【０００８】
特に、同一外壁面に横寸法の異なる複数の窓を配置した住宅では、統一感を発揮することが出来ず、意匠的に劣る虞があるという問題がある。
【０００９】
本発明の目的は、横寸法が異なる引き違い窓であっても、統一感を発揮することが出来る窓セットを配置することによって統一感のある壁面を実現することが出来る住宅を提供することにある。
【００１０】
【課題を解決するための手段】
上記課題を解決するために本発明に係る住宅は、高さが同じで、建物に設定されたモジュール寸法の１．５倍に相当する横寸法を持った小障子と、モジュール寸法の２．５倍に相当する横寸法を持った中障子と、モジュール寸法の３．０倍に相当する横寸法を持った大障子とからなる引き違い形式の障子群の中から少なくとも小障子を１枚含むように選択された２枚又は３枚の障子と、前記選択された２枚又は３枚の障子を組み合わせて該障子を２本のレール上を摺動するように納めるサッシ枠と、からなり、前記小障子のうちの１枚を基準となる障子として前記サッシ枠の一方の端部に寄せて配置した横寸法の異なる複数の窓セットを、同一の外壁面に配置することを特徴とするものである。
【００１１】
【発明の実施の形態】
以下、住宅の好ましい実施例について図を用いて説明する。図１は窓セットの構成を説明する図である。図２は本実施例に係る窓セットを横方向に並べた状態を示す図である。図３は本実施例に係る窓セットを縦方向に並べた状態を示す図である。図４は２枚の小障子によって構成した窓を屋内側からみた図である。図５は図４の窓を屋外側からみた図である。図６は図４の窓の縦断面図である。図７は図４の窓の横断面図である。図８は１枚の小障子と１枚の中障子によって構成した窓を屋内側から見た図である。図９は図８の窓を屋外側からみた図である。図１０は２枚の小障子と１枚の大障子によって構成した窓を屋内側からみた図である。図１１は図１０を屋外側からみた図である。図１２は本実施例に係る住宅を説明する図である。
【００１２】
先ず、図１により窓セットの構成について説明する。図に於いて、小障子１は横寸法がモジュール寸法の１．５倍に相当する寸法を有しており、縦寸法は後述するサッシ枠の縦寸法に対応させてモジュール寸法の３．０倍に相当する寸法を有している。本実施例では、モジュール寸法を約３００ｍｍに設定しているため、小障子１は横寸法が約４５０ｍｍ、縦寸法が約９００ｍｍで形成されている。
【００１３】
中障子２は横寸法がモジュール寸法の２．５倍に相当する寸法を有しており、縦寸法はモジュール寸法の３．０倍に相当する寸法を有している。従って、中障子２は横寸法が約７５０ｍｍ、縦寸法が約９００ｍｍで形成されている。大障子３は横寸法がモジュール寸法の３．０倍に相当する寸法を有しており、横寸法が約９００ｍｍ、縦寸法が約９００ｍｍで形成されている。
【００１４】
上記小障子１，中障子２，大障子３によって障子群が形成され、該障子群の中から小障子１を基準障子として選択する。
【００１５】
サッシ枠は上記小障子１〜大障子３の中から選択された障子を移動可能に納めると共に予め設定された壁面に形成された開口部に取り付けられて該開口部を開閉する機能を有するものである。
【００１６】
特に、本実施例では、予め横寸法が約４５０ｍｍの小障子１が基準寸法として選択されているため、サッシ枠には必ず少なくとも１枚の小障子１が配置されることとなり、該サッシ枠の横寸法は小障子１と他の障子２，３を複数組み合わせた横寸法に設定される。
【００１７】
サッシ枠５は横寸法がモジュール寸法の３．０倍（３．０Ｍ、約９００ｍｍ）に設定されると共に縦寸法が３．０Ｍ（約９００ｍｍ）に設定されており、サッシ枠６は横寸法が４．０Ｍ（約１２００ｍｍ）、縦寸法が３Ｍ（約９００ｍｍ）に設定され、サッシ枠７は横寸法が６．０Ｍ（約１８００ｍｍ）、縦寸法が３．０Ｍ（約９００ｍｍ）に設定されている。
【００１８】
本実施例に於いて、各障子の横寸法である、モジュール寸法の１．５倍に相当する横寸法，２．５倍に相当する横寸法，３．０倍に相当する横寸法とは、夫々モジュール寸法の１．５倍，２．５倍，３．０倍の寸法ではなく、サッシ枠の横寸法を満足する寸法、即ち、サッシ枠の両側に配置された縦枠の幅寸法を差し引いた寸法に納まる寸法である。従って、モジュール寸法の１．５倍に相当する小障子の横寸法は、モジュール×１．５の数値よりも小さくなり、同様に中障子，大障子の横寸法もモジュール寸法に夫々の倍率を掛けた数値よりも小さくなる。
【００１９】
従って、サッシ枠５は２枚の小障子１を納めることが可能であり、サッシ枠６は１枚の小障子１と１枚の中障子２を納めることが可能であり、サッシ枠７は２枚の小障子１と１枚の大障子３を納めることが可能なように構成されている。
【００２０】
次に、図１に示す窓セットを横方向に並べた状態を図２により説明する。図に於いて、横寸法が３．０Ｍに設定されたサッシ枠５には基準障子である小障子１が２枚納められている。またサッシ枠６には１枚の小障子１と１枚の中障子２が納められ、サッシ枠７には２枚の小障子１と１枚の大障子３が納められている。
【００２１】
そして夫々基準障子となる１枚の小障子１に加えて他の障子１〜３を組み合わせて納めたサッシ枠５〜７を横方向に並べたとき、各サッシ枠５〜７には夫々基準障子である小障子１が配置されることとなる。即ち、横寸法の異なるサッシ枠５〜７であっても、共通した小障子１が必ず配置されることになる。このため、横寸法が異なるにも関わらず統一感を発揮することが可能となり、全体のまとまりを実現することが可能となる。
【００２２】
上記の如く構成された窓セットでは、基準障子が全てのサッシ枠に納められることから、サッシ枠に納める網戸の共通部品化やガラスの共通化をはかることも可能とし、製造上の合理化をはかることが可能となる。
【００２３】
次に、図１に示す窓セットを縦方向に並べた場合について図３により説明する。図に示すように、夫々対応する障子１〜３を納めたサッシ枠５〜７を縦方向に並べた場合であっても、基準障子となる小障子１が全てのサッシ枠５〜７に納まっているため、統一感を発揮することが可能である。
【００２４】
次に、図４〜図７により、横寸法が３．０Ｍに設定されたサッシ枠５に２枚の小障子１を配置して構成した窓セットの具体的な構成について説明する。図に於いて、小障子１はクレセント４によって施錠し得るように構成されており、且つ各小障子１に該小障子１を開閉させるための把手８が設けられている。
【００２５】
本実施例ではサッシ枠５の上端部であって屋外側には庇５ａが設けられている。庇５ａの有無は特に限定するものではなく、該庇５ａがない場合であっても、サッシ枠に基準障子と他の障子とが組み合わされたものであれば良い。またサッシ枠５及び小障子１共に断熱サッシとして構成されており、夫々のサッシ枠５，小障子１は屋外側の部材がアルミニウム素材によって構成され、屋内側の部材が合成樹脂によって構成されている。
【００２６】
上記の如く構成された窓セットでは、住宅の外壁に配置し得る引き違い窓としての機能を発揮することが可能である。
【００２７】
次に、図８，図９により４．０Ｍのサッシ枠６に、１枚の小障子１と１枚の中障子２を組み合わせた窓セットについて説明する。尚、図に於いて前述の実施例と同一の部分には同一の符号を付して説明を省略する。図に示すように、サッシ枠６に小障子１と中障子２が配置されるため、単独で見たとき不安定な感じを与える虞があるが、前述の実施例と並べてみたとき、統一感を発揮することが可能である。
【００２８】
次に、図１０，図１１により６．０Ｍのサッシ枠７に２枚の小障子１と１枚の大障子３を組み合わせた窓セットについて説明する。図に示すように、サッシ枠７に２枚の小障子１と１枚の大障子３が配置され、夫々がクレセント４によって施錠し得るように構成されると共に大障子３には特別な把手９が設けられている。
【００２９】
上記の如く構成された窓セットでは、単独で見た場合にも安定感を発揮することが可能であり、前述の各窓セットと組み合わせた場合、統一感を発揮することが可能である。
【００３０】
次に、上記窓セットを適用した住宅の構成について図１２により説明する。図に於いて、住宅Ａは二階建てとして建築されており、外壁１１に本実施例に係る窓セットが配置されている。
【００３１】
外壁１１には１階に対応する部分に、４．０Ｍのサッシ枠６、３．０Ｍのサッシ枠５、６．０Ｍのサッシ枠７が連窓して配置されている。夫々のサッシ枠５〜７には図２，図３と同様に、基準障子となる１枚の小障子１と、該小障子１と組み合わせた中障子２，大障子３が納められている。また外壁１１の２階に対応する部分には、サッシ枠５に配置された小障子１と同じ幅を有し、且つ引き違い窓以外の形状を持った窓１２が並べて配置されている。
【００３２】
上記の如く、同一の外壁面に異なる横寸法を持った複数のサッシ枠５〜７を配置した場合であっても、各サッシ枠５〜７には必ず基準障子となる小障子１が納められることとなり、横寸法が異なるにも関わらず、開口部の統一感を発揮させることが可能となる。
【００３３】
更に、同じ外壁面に引き違い窓以外の窓１２を配置した場合であっても、この窓１２の幅が基準障子となる１枚の小障子１と同じ幅を持つため、外壁としての統一感を発揮させることが可能となる。
【００３４】
【発明の効果】
以上詳細に説明したように本発明に係る住宅では、高さが同じで、建物に設定されたモジュール寸法の１．５倍に相当する横寸法を持った小障子と、モジュール寸法の２．５倍に相当する横寸法を持った中障子と、モジュール寸法の３．０倍に相当する横寸法を持った大障子とからなる引き違い形式の障子群の中から少なくとも小障子を１枚含むように選択された２枚又は３枚の障子と、前記選択された２枚又は３枚の障子を組み合わせて納めるサッシ枠と、からなり、前記小障子のうちの１枚を基準となる障子として前記サッシ枠の一方の端部に寄せて配置した横寸法の異なる複数の窓セットを、同一の外壁面に配置することで、サッシ枠の横寸法が異なる場合であっても、これらのサッシ枠に共通した障子を配置することで、各窓の統一感を発揮することが可能となり、この結果、壁面の統一感を発揮させることが出来る。
【図面の簡単な説明】
【図１】窓セットの構成を説明する図である。
【図２】本実施例に係る窓セットを横方向に並べた状態を示す図である。
【図３】本実施例に係る窓セットを縦方向に並べた状態を示す図である。
【図４】２枚の小障子によって構成した窓を屋内側からみた図である。
【図５】図４の窓を屋外側からみた図である。
【図６】図４の窓の縦断面図である。
【図７】図４の窓の横断面図である。
【図８】１枚の小障子と１枚の中障子によって構成した窓を屋内側から見た図である。
【図９】図８の窓を屋外側からみた図である。
【図１０】２枚の小障子と１枚の大障子によって構成した窓を屋内側からみた図である。
【図１１】図１０を屋外側からみた図である。
【図１２】本実施例に係る住宅を説明する図である。
【符号の説明】
Ａ                  住宅
１                  小障子
２                  中障子
３                  大障子
４                  クレセント
５〜７              サッシ枠
８，９              把手
１１                外壁
１２                窓
【図１】
0004289902.tif 000002
【図２】
0004289902.tif 000003
【図３】
0004289902.tif 000004
【図４】
0004289902.tif 000005
【図５】
0004289902.tif 000006
【図６】
0004289902.tif 000007
【図７】
0004289902.tif 000008
【図８】
0004289902.tif 000009
【図９】
0004289902.tif 000010
【図１０】
0004289902.tif 000011
【図１１】
0004289902.tif 000012
【図１２】
0004289902.tif 000013